(57)【特許請求の範囲】
【請求項１】
ネットワークを介して接続された複数のネットワークデバイスを管理する管理装置であって、
複数のネットワークデバイスの機能を連携させて処理を行う仮想デバイスと、当該仮想デバイスを構成するネットワークデバイスと、当該ネットワークデバイスの担当する機能とを関連づけた管理情報を保持する保持手段と、
ユーザの指示に基づき配信すべきリソースデータ及び配信先デバイスを指定する指定手段と、
前記保持手段に保持された管理情報を参照し、前記指定手段により指定されたリソースデータの配信先の候補デバイスを示す、前記指定手段により指定された配信先デバイスに関連するネットワークデバイス及び仮想デバイスの情報を含む候補デバイス情報を生成する生成手段と、
前記指定手段により指定された配信先デバイスと前記生成手段により生成された候補デバイス情報に基づき前記リソースデータの配信先デバイスを確認する確認画面を表示する際、前記リソースデータの属性に応じて、前記候補デバイスから配信先デバイスの指定するための表示を切換える切換え手段と、
前記指定手段により指定された配信先デバイス及び前記切換え手段により表示された確認画面を介して指定された配信先デバイスに対して前記指定手段により指定されたリソースデータを配信する配信手段と、
を備えることを特徴とする管理装置。
【請求項２】
前記切換え手段は、前記リソースデータの属性に応じて前記生成手段により生成された前記候補デバイス情報に含まれる全ての候補デバイスに対して配信することを確認する画面と、前記生成手段により生成された前記候補デバイス情報に含まれる候補デバイスの中から実際に配信デバイスをユーザの指示に基づき選択可能な画面とで表示を切換えることを特徴とする請求項１記載の管理装置。
【請求項３】
前記配信手段は、前記配信先デバイスとして仮想デバイスが指定された場合、前記保持手段に表示された管理情報を参照し、配信するリソースデータを利用する機能を担当するネットワークデバイスに対して当該リソースデータを配信することを特徴とする請求項１又は２記載の管理装置。
【請求項４】
前記配信手段により前記ネットワークデバイス及び、又は前記仮想デバイスに配信されたリソースデータの配信結果を識別可能に表示するための配信結果表示制御手段を備えることを特徴とする請求項１又は３記載の管理装置。
【請求項５】
前記指定手段により指定する配信先デバイスを複数選択可能とする選択画面を表示するための選択画面表示制御手段を備えることを特徴とする請求項１記載の管理装置。
【請求項６】
複数のネットワークデバイスの機能を連携させて処理を行う仮想デバイスと、当該仮想デバイスを構成するネットワークデバイスと、当該ネットワークデバイスの担当する機能とを関連づけた管理情報を保持する保持手段を備え、ネットワークを介して接続された複数のネットワークデバイスを管理する管理装置における管理方法であって、
ユーザの指示に基づき配信すべきリソースデータ及び配信先デバイスを指定する指定工程と、
前記保持手段に保持された管理情報を参照し、前前記指定されたリソースデータの配信先の候補デバイスを示す、前記指定された配信先デバイスに関連するネットワークデバイス及び仮想デバイスの情報を含む候補デバイス情報を生成する生成工程と、
前記指定工程により指定された配信先デバイスと前記生成工程により生成された候補デバイス情報に基づき前記リソースデータの配信先デバイスを確認する確認画面を表示する際、前記リソースデータの属性に応じて、前記候補デバイスから配信先デバイスの指定するための表示を切換える切換え工程と、
前記指定工程により指定された配信先デバイス及び前記切換え工程により表示された確認画面を介して指定された配信先デバイスに対して前記指定工程により指定されたリソースデータを配信する配信工程と、
を備えることを特徴とする管理方法。
【請求項７】
前記切換え工程は、前記リソースデータの属性に応じて前記生成工程により生成された前記候補デバイス情報に含まれる全ての候補デバイスに対して配信することを確認する画面と、前記生成工程により生成された前記候補デバイス情報に含まれる候補デバイスの中から実際に配信デバイスをユーザの指示に基づき選択可能な画面とで表示を切換えることを特徴とする請求項６記載の管理方法。
【請求項８】
前記配信工程は、前記配信先デバイスとして仮想デバイスが指定された場合、前記保持手段に表示された管理情報を参照し、配信するリソースデータを利用する機能を担当するネットワークデバイスに対して当該リソースデータを配信することを特徴とする請求項６又は７記載の管理方法。
【請求項９】
前記配信工程により前記ネットワークデバイス及び、又は前記仮想デバイスに配信されたリソースデータの配信結果を識別可能に表示するための配信結果表示制御工程を備えることを特徴とする請求項６又は８記載の管理方法。
【請求項１０】
前記指定工程により指定する配信先デバイスを複数選択可能とする選択画面を表示するための選択画面表示制御工程を備えることを特徴とする請求項６記載の管理方法。
【請求項１１】
請求項６乃至１０のいずれか１項に記載の管理方法をコンピュータに実行させることを特徴とするプログラム。
【発明の詳細な説明】
【技術分野】
【０００１】
本発明は、ネットワークを介して接続された複数のネットワークデバイスを管理する管理装置によるデバイス管理処理に関するものである。
【背景技術】
【０００２】
従来の技術において、ネットワークに接続された周辺機器に対する設定を行う場合に、例えば周辺機器がプリンタである場合、プリンタドライバのユーザインタフェースにおいて、特定の項目が設定不可となった理由を表示する機能を設けている。
【０００３】
この機能により、使用者の人為的ミスの低減を図っている（例えば特許文献１参照）。
【特許文献１】特開２００３−３２３３６４号公報
【発明の開示】
【発明が解決しようとする課題】
【０００４】
しかしながら、上述した従来の技術はプリンタドライバの項目の設定に関する内容であり、周辺機器におけるリソースデータ管理の設定に関する内容とは異なるものである。
【０００５】
近年、コピー、プリンタ、スキャナ、FAX、複合機などの情報処理装置を連携することにより、仮想的な情報処理装置として使用するネットワークシステムが検討されつつある。
【０００６】
これに伴い、単体の情報処理装置と連携された仮想的な情報処理装置が混在するネットワーク環境において、フォントデータや宛先表データ等の情報処理装置へ配信するリソースデータを管理する必要が生じる。
【０００７】
その際に、単体の情報処理装置にリソースデータを配信した場合にどの仮想的な情報処理装置に反映されるのかということを管理するための管理負荷が高くなるという課題がある。
【０００８】
本発明は、上記の課題を解決するためになされたもので、本発明の目的は、配信するリソースデータの属性に応じて配信先を指定するための表示を切り換えることで、属性に異なるリソースデータが誤った配信先に配信してしまうことを防止できる仕組みを提供することである。
【課題を解決するための手段】
【０００９】
上記目的を達成する本発明の管理装置は以下に示す構成を備える。
【００１０】
ネットワークを介して接続された複数のネットワークデバイスを管理する管理装置であって、複数のネットワークデバイスの機能を連携させて処理を行う仮想デバイスと、当該仮想デバイスを構成するネットワークデバイスと、当該ネットワークデバイスの担当する機能とを関連づけた管理情報を保持する保持手段と、ユーザの指示に基づき配信すべきリソースデータ及び配信先デバイスを指定する指定手段と、前記保持手段に保持された管理情報を参照し、前記指定手段により指定されたリソースデータの配信先の候補デバイスを示す、前記指定手段により指定された配信先デバイスに関連するネットワークデバイス及び仮想デバイスの情報を含む候補デバイス情報を生成する生成手段と、前記指定手段により指定された配信先デバイスと前記生成手段により生成された候補デバイス情報に基づき前記リソースデータの配信先デバイスを確認する確認画面を表示する際、前記リソースデータの属性に応じて、前記候補デバイスから配信先デバイスの指定するための表示を切換える切換え手段と、前記指定手段により指定された配信先デバイス及び前記切換え手段により表示された確認画面を介して指定された配信先デバイスに対して前記指定手段により指定されたリソースデータを配信する配信手段とを備えることを特徴とする。
【発明の効果】
【００１１】
本発明によれば、属性に異なるリソースデータが誤った配信先に配信してしまうことを防止して、管理者のリソース管理負担を軽減できる。
【発明を実施するための最良の形態】
【００１２】
次に本発明を実施するための最良の形態について図面を参照して説明する。
【００１３】
＜システム構成の説明＞
〔第１実施形態〕
図１は、本発明の第１実施形態を示す管理装置を適用可能な管理システムを示す図である。本例は、コンピュータ１０００と画像形成装置３０００とがネットワークなどを介して通信可能に接続されているシステム例である。なお、本実施形態では、管理装置が管理する画像形成装置として、プリント機能と、スキャナ機能を備えるＭＦＰの例を示すが、画像形成装置には、デジタル複写装置も含まれる。また、これらの画像形成装置は、ネットワーク通信機能を備え、ホストコンピュータ１０００と通信可能なネットワークデバイスとして機能する。
【００１４】
以下、図面を用いて、本発明の実施形態を詳細に説明する。
【００１５】
まず、ホストコンピュータ１０００の構成について説明する。尚、図１に示されるハードウェアは一般的な情報処理装置のハードウェアブロックに相当するものとし、本実施形態のホストコンピュータ１０００には一般的な情報処理装置のハードウェア構成を適用できる。
【００１６】
図１において、ＣＰＵ２００１は、ＲＯＭ２００３のプログラム用ＲＯＭに記憶された、或いは外部メモリ２０１１からＲＡＭ２００２にロードされたＯＳやアプリケーション等のプログラムを実行する。
【００１７】
ここでＯＳとは、コンピュータ上で稼動するオペレーティングシステムの略語であり、以下オペレーティングシステムのことをＯＳと呼ぶ。
【００１８】
後述する各フローチャートの処理は、ＯＳ上で動作するプログラムを実行することで実現できる。
【００１９】
ＲＡＭ２００２は、ＣＰＵ２００１の主メモリ、ワークエリア等として機能する。キーボードコントローラ（ＫＢＣ）２００５は、キーボード（ＫＢ）２００９や不図示のポインティングデバイスからのキー入力を制御する。ＣＲＴコントローラ（ＣＲＴＣ）２００６は、ＣＲＴディスプレイ２０１０の表示を制御する。ディスクコントローラ（ＤＫＣ）２００７は、各種データを記憶するハードディスク（ＨＤ）やフレキシブルディスク（ＦＤ）等におけるデータアクセスを制御する。
【００２０】
ＰＲＴＣ２００８は、接続された画像形成装置３０００との間の信号の交換を制御する。ＮＣ２０１２はネットワークに接続されて、ネットワークに接続された他の機器との通信制御処理を実行する。
【００２１】
次に、画像形成装置３０００の構成について説明する。
【００２２】
図１に示すように、画像形成装置３０００において、３００１は、画像形成装置３０００のＣＰＵであり、ＲＯＭ３００２や、外部メモリ３００３に記憶された制御プログラムに基づいてシステムバス３００４に接続される各ブロックを制御する。
【００２３】
また、ＣＰＵ３００１の処理により生成された画像信号は、印刷部Ｉ／Ｆ３００５を介して、印刷部（画像形成装置エンジン）３００６に出力情報として出力される。また、ＣＰＵ３００１は、入力部３００７を介してホストコンピュータ１０００との通信処理が可能となっており、画像形成装置３０００内の情報等をホストコンピュータ１０００に通知できる。
【００２４】
ＲＯＭ３００２内のプログラムＲＯＭには、ＣＰＵ３００１の制御プログラム等を記憶している。ＲＯＭ３００２内のフォント用ＲＯＭには、出力情報を生成する際に使用するフォントデータ等を記憶している。ＲＯＭ３００２内のデータ用ＲＯＭには、ハードディスク等の外部メモリ３００３がない画像形成装置の場合、ホストコンピュータ１０００上で利用される情報等を記憶している。
【００２５】
ＲＡＭ３００８は、ＣＰＵ３００１の主メモリや、ワークエリア等として機能するＲＡＭであり、図示しない増設ポートに接続されるオプションＲＡＭによりメモリ容量を拡張することができるように構成されている。また、ＲＡＭ３００８は、出力情報展開領域、環境データ格納領域、ＮＶＲＡＭ等に用いられる。
【００２６】
外部メモリ３００３は、メモリコントローラ（ＭＣ）３００９によりアクセスを制御される。外部メモリ３００３は、オプションとして接続され、フォントデータ、エミュレーションプログラム、フォームデータ等を記憶する。また、操作部３０１１は操作のためのスイッチ及びＬＥＤ表示器等で構成されている。
【００２７】
スキャナＩ／Ｆ３０１２は、スキャナ部３０１３から受取った画像データに対して、補正、加工、及び編集を行う。スキャナ部３０１３は、原稿上の画像を露光走査して得られた反射光をＣＣＤに入力することで画像の情報を電気信号に変換する。さらに、スキャナ部３０１３は、電気信号をＲ，Ｇ，Ｂ各色からなる輝度信号に変換し、当該輝度信号を画像データとして読み込む。ユーザが、操作部３０１１から読み取り開始を指示すると、スキャナ部３０１３に原稿読み取り指示が与えられる。
【００２８】
スキャナ部３０１３は、この指示を受けると原稿の読み取り動作を行う。尚、原稿の読み取り方法は原稿フィーダ（不図示）にセットされる自動送り方式の形態であってもよい。また、原稿を不図示のガラス面上に載せ、露光部を移動させることで原稿の走査を行う方法であってもよい。
【００２９】
図２は、本発明の実施形態を示す管理システムのネットワーク構成を示す図である。
【００３０】
本管理システムは、クライアントコンピュータ２０１と、管理システムとしてのサーバコンピュータ２０２と、スキャナ２０３、プリンタ２０４、複合機２０５などの周辺機器とを含む。また、これらがLAN等のネットワーク２００を介して互いに接続されている。ここで、スキャナ２０３とプリンタ２０４との組み合わせることで、後述するように仮想的なデバイスとして構築可能である。
【００３１】
サーバコンピュータ２０２には、情報処理装置管理プログラムが実行可能に格納されており、スキャナ２０３、プリンタ２０４、複合機２０５を管理する機能のほか、周辺機器に対してフォントや宛先表等のリソースデータ配信を行う機能を有する。
【００３２】
図３は、本発明の実施形態に係る管理装置のモジュール構成を示す図である。本例は、管理装置３００と情報処理装置３１０、３２０、３３０、３４０がネットワークを介して通信可能な管理システムの例である。以下、管理装置３００および情報処理装置（コピー/プリンタ/スキャナ/FAX/複合機）３１０、３２０、３３０、３４０におけるモジュール構成を説明する。また、情報処理装置３２０、３３０、３４０は、情報処理装置３１０と同等の構成を備えるため、情報処理装置３１０と同等の構成については省略する。
【００３３】
なお、以下、コピー/プリンタ/スキャナ/FAX/複合機などの情報処理装置を便宜上「デバイス」と記載する（図中のデバイス名としては「ＲＤｅｖ」と記載する）。
【００３４】
また、これらのデバイスが複数連携することにより、仮想的なデバイスとして使用するものを「仮想デバイス」と記載する（図中のデバイス名としては「ＶＤｅｖ」と記載する）。
【００３５】
まず、管理装置３００の構成について説明する。
【００３６】
デバイス管理部３０１は、ネットワークに接続されたデバイス情報の管理を行う。以下、管理情報の具体例として図４を用いて説明する。
【００３７】
図４は、図３に示した管理装置３００にて管理されている全デバイスの名称およびそれぞれのデバイスに配信されているリソースデータの情報を有するデバイスリスト情報の一例を示す図である。本図は、デバイスリストに対応する。
【００３８】
図４において、デバイス名「ＶＤｅｖ１（仮想デバイス）」においては、リソースデータとして、「明朝体」、「ゴシック体」のフォントデータと、「宛先表１」と「宛先表２」の宛先表データが配信されていることを示している。
【００３９】
表示制御部３０２は、管理装置３００の設定を行うためのユーザインタフェースの表示を制御する。なお、表示制御部３０２が表示する情報は、デバイス管理部３０１、デバイス構成記憶部３０３、リソース管理部３０５を介して取得している情報である。
【００４０】
デバイス構成記憶部３０３は、例えばスキャナ、プリンタを組み合わせた仮想デバイスを構成する機能毎のデバイス情報を管理する。以下、デバイス構成記憶部３０３が記憶して管理する管理情報の具体例を図５を用いて説明する。
【００４１】
図５は、図４に示したデバイスリストで管理されている仮想デバイス名と各機能を実行するデバイスとの対応を示す図である。本図は、仮想デバイステーブルに対応する。本例は、仮想デバイス名、例えば「ＶＤｅｖ１」の仮想デバイスがデバイスＲＤｅｖ１〜３を組み合わせて、スキャン処理、印刷処理、レンダリング処理を行う場合に対応する。つまり、リソース管理部３０５は、仮想デバイスを構成するネットワークデバイスと、当該ネットワークデバイスの担当する機能とを関連づけた管理情報をデバイス構成記憶部３０３に保持させて管理している。
【００４２】
仮想デバイス名、例えば「ＶＤｅｖ２」の仮想デバイスがデバイスＲＤｅｖ１〜４を組み合わせて、スキャン処理、印刷処理、レンダリング処理、ファクシミリ通信処理を行う場合に対応する。
【００４３】
図５において、デバイス名「ＶＤｅｖ１（仮想デバイス）」において、スキャンの機能はデバイス名「ＲＤｅｖ２（実デバイス）」が処理する。また、デバイス名「ＶＤｅｖ１（仮想デバイス）」において、印刷の機能はデバイス名「ＲＤｅｖ１（実デバイス）」が処理する。さらに、デバイス名「ＶＤｅｖ１（仮想デバイス）」において、レンダリングの機能についてはデバイス名「ＲＤｅｖ３（実デバイス）」が処理する。
【００４４】
リソースデータ記憶部３０４は、デバイスへ配信する対象の宛先表やフォントデータ等の実データを管理する。
【００４５】
リソース管理部３０５は、リソースデータ記憶部３０４に記憶されるデバイスに配信するリソースデータの情報を管理する。
【００４６】
以下、リソースデータ記憶部３０４に記憶される管理情報の具体例について図６、図７を用いて説明する。
【００４７】
図６は、図４に示したリソースデータの種別と配信対象機能との対応を説明する図である。本図は、配信項目の送信条件テーブルに対応する。
【００４８】
図６において、リソース種別「宛先表」においては、配信対象機能として「スキャン」機能および「FAX」の機能が存在することを示している。
【００４９】
また、リソース種別「フォント」においては、配信対象機能として「レンダリング」機能が存在することを示している。
【００５０】
図７は、図４に示したリソース種別と配信方法との対応を説明する図である。本図は、リソースデータ配信管理テーブルに対応する。
【００５１】
図７において、リソース種別「宛先表」においては、配信方法が「使用可否を選択」となることを示している。
【００５２】
これは宛先表というリソースの性質として、使用するユーザやグループによって利用制限されることを想定するものである。
【００５３】
それに対して、リソース種別「フォント」においては、配信方法が「すべて配信」となることを示している。
【００５４】
これはフォントデータにおいては配信先のデバイスにおいて、特に利用制限を設けることなく、すべての環境において使用可能とすることを示している。
【００５５】
次に、配信データ生成部３０６は、デバイス管理部３０１が管理する情報を元に、配信先のデバイスおよびリソースの情報（リソースデータ）を確認する。続いて、配信データ生成部３０６は、通信機能部３０７を介して生成したリソースデータを、例えば情報処理装置３１０に配信する。
【００５６】
次に、図３に示した情報処理装置（コピー/プリンタ/スキャナ/FAX/複合機）３１０におけるモジュール構成を説明する。
【００５７】
連携処理部３１１は、情報処理装置３１０が仮想デバイスの１機能として動作する場合に、他のデバイス、例えば情報処理装置３２０、情報処理装置３３０、情報処理装置３４０と連携して処理を行うものである。
【００５８】
リソース管理部３１２は、配信されたフォントや宛先表などのリソース情報を一元管理する。リソースデータ記憶部３１３は、配信された宛先表やフォントデータ等の実リソースデータを記憶して管理する。
【００５９】
通信機能部３１４は、管理装置３００から配信されたリソースデータをネットワーク経由で受け取り、リソース管理部３１２および画像処理部３１５に通知する。
【００６０】
画像処理部３１５は、コピー/プリンタ/スキャナ/FAX/複合機等の画像処理機能を制御する。なお、情報処理装置３１０が仮想デバイスの場合は、連携処理部３１１および通信機能部３１４を通じて、処理内容および結果を他のデバイスに通知する。
【００６１】
次に、本実施形態に係る管理システムにおけるリソース配信制御処理の内容を図８に示すフローチャートおよび図１２〜図１７のユーザインタフェースのイメージ図を用いて説明する。
【００６２】
図８は、本実施形態を示す管理システムにおける第１のデータ処理手順の一例を示すフローチャートである。本例は、図３に示した管理装置３００によるリソース配信制御例である。なお、Ｓ８０１〜Ｓ８１５は各ステップを示す。また、各ステップは、ホストコンピュータ１０００のＣＰＵ２００１がＲＡＭ２００２に制御プログラムをロードして実行することで実現される。
【００６３】
まず、Ｓ８０１において、表示制御部３０２がデバイス管理部３０１にて管理されているデバイス情報を元に、配信対象のデバイス（仮想デバイス又は実デバイス）を指定するユーザインタフェースを、例えばＣＲＴ２０１０上に表示する。この際、表示制御部３０２は、配信するリソース種別を指定するユーザインタフェースを、例えばＣＲＴ２０１０上に表示する。
【００６４】
図９は、図３に示した表示制御部３０２がＣＲＴ２０１０に表示可能なユーザインタフェースの一例を示す図である。なお、本ユーザインタフェースは、Ｓ８０１における処理で表示される。
【００６５】
図９において、リソース管理部３０５にて管理されているリソース種別の一覧がコンボボックス１２０１に表示され、選択可能であることを示している。本例は、リソース種別がフォントの例である。
【００６６】
１２０２はボタンで、選択したデバイスに対してリソースデータ配信を実行する場合に押下される。
【００６７】
１２０３はボタンで、配信するリソースデータを追加する際に押下される。
【００６８】
１２０４はデバイスリスト表示領域で、デバイス管理部３０１にて管理されているデバイスリストが表示される領域に対応する。本例では、実デバイスが４台と、仮想デバイスが２台の計６台のデバイスを管理している例である。
【００６９】
１２０５はリソースデータ表示領域で、デバイス管理部３０１にて管理されているデバイスに配信されているリソースデータを表示する領域に対応する。リソースデータ表示領域１２０５では、リソースのタイプ、ステータス、フォント名を表示している。
【００７０】
なお、デバイスリスト表示領域１２０４には、リソース追加ボタン１２０３の選択後のリソース追加処理によって、配信対象に追加されたリソースデータについても表示する。
【００７１】
次に、Ｓ８０２において、表示制御部３０２が、配信リソースデータを指定する、例えば図１０に示すユーザインタフェースを表示する。
【００７２】
図１０は、図３に示した表示制御部３０２がＣＲＴ２０１０に表示可能なユーザインタフェースの一例を示す図である。なお、本ユーザインタフェースは、Ｓ８０２における処理で表示される。
【００７３】
具体的には、本ユーザインタフェースは、図９に示したリソース追加ボタン１２０３を選択後に表示されるユーザインタフェースである。
【００７４】
図１０において、１３０１はコンボボックスで、リソース管理部３０５にて管理されるリソースデータの一覧を表示し、例えば「明朝体Ｄ」を選択可能であることを示している。
【００７５】
１３０２は配信先デバイス表示部で、Ｓ８０１において、選択されたデバイスの名称（例えば「ＲＤｅｖ１」）が表示した状態に対応する。ここで、ユーザがＯＫボタン１３０３を指定することにより、図９に示したリソースデータ表示領域１２０５に配信対象のリソースデータとして追加される。
【００７６】
キャンセルボタン１３０４を指定すると、リソースデータを追加しないで、図９に示したユーザインタフェースに戻る。
【００７７】
次に、Ｓ８０３において、デバイス管理部３０１は、指定デバイスに関連する実デバイスの情報を一時的に保持する。
【００７８】
図１１は、図３に示すデバイス構成記憶部３０３に記憶される指定デバイスに関連する実デバイス情報の一例を示す図である。本例は、選択されたデバイス名に対して、図５で示した仮想デバイスの構成情報に基づき関連するデバイス名を登録した例である。
【００７９】
具体的には、選択されたデバイス名「ＶＤｅｖ１」に関連するデバイスは「ＲＤｅｖ２（スキャン）」、「ＲＤｅｖ１（印刷）」、「ＲＤｅｖ３（レンダリング）」の３つであることを示している。
【００８０】
また、選択されたデバイス名「ＲＤｅｖ１」は仮想デバイスではないため、関連するデバイス名も「ＲＤｅｖ１」のみとなる。ここで保持された関連するデバイスの個数を仮に「Ｍ」とする。
【００８１】
次に、Ｓ８０４で、ＣＰＵ２００１は、デバイスのカウンタ「ｉ」を「１」に初期化する。
【００８２】
次に、Ｓ８０５で、ＣＰＵ２００１は、デバイスの個数「Ｍ」とデバイスのカウンタ「ｉ」を比較し、「ｉ」が「Ｍ」以下であると判断した場合は、Ｓ８０６へ進み、「ｉ」が「Ｍ」以下でないと判断した場合は、Ｓ８０９へ進む。
【００８３】
そして、Ｓ８０６では、ＣＰＵ２００１は、デバイスのカウンタ「ｉ」に対応するデバイス（Ｓ８０３で一時保存されたデバイス）において、リソース管理部３０５にて管理されている図６に示される配信項目の配信条件テーブルを参照する。
【００８４】
そして、Ｓ８０６で、ＣＰＵ２００１は、配信データの配信対象デバイスであるかどうかを判定する。ここで、ＣＰＵ２００１が配信データの配信対象デバイスであると判断した場合は、Ｓ８０７へ進み、配信データの配信対象デバイスでないと判断した場合は、Ｓ８０８へ進む。
【００８５】
そして、Ｓ８０７で、デバイス情報と配信するデータの情報をデバイス管理部３０１で一時的に保持する。
【００８６】
図１２は、図３に示したデバイス管理部３０１で管理されるデバイスとリソースデータとの対応を示す図である。本例は、デバイスとリソースデータとに対する一時的な管理状態の一例を示す図である。
【００８７】
具体例として、選択された仮想デバイスであるデバイス名「ＶＤｅｖ１」において、配信対象の実デバイス名は「ＲＤｅｖ１」であることを示している。また、配信するリソースデータは「ＸＸ部宛先表」というデータであることを示している。なお、図１２に示すように実デバイスの場合は、選択されたデバイス名と配信対象デバイス名とは一致する。
【００８８】
Ｓ８０８で、ＣＰＵ２００１は、デバイスのカウンタ「ｉ」をインクリメントして、Ｓ８０５へ戻る。
【００８９】
次に、Ｓ８０９で、ＣＰＵ２００１がユーザの操作に基づき、図９に示した配信ボタンとして機能するボタン１２０２が選択されたことを検知したら、Ｓ８１０へ進む。
【００９０】
そして、Ｓ８１０で、ＣＰＵ２００１は、配信データ種別による配信方法が全て配信か、それとも使用可否を選択するかのいずれが選択されているかどうかを判断する。
【００９１】
具体的には、図３に示したリソース管理部３０５にて、管理される図７に示したリソースデータ配信方法を管理する管理テーブルの情報を確認する。
【００９２】
ここで、リソース種別（属性）が「フォント」の場合は配信方法が「全て配信」となり、Ｓ８１１の処理に進む。
【００９３】
一方、リソース種別（属性）が「宛先表」の場合は、配信方法が「使用可否を選択」となり、Ｓ８１２へ進む。
【００９４】
そして、Ｓ８１１では、表示制御部３０２によって、リソースデータを「全て配信」とするためのユーザインタフェースを表示する。
【００９５】
図１３は、図１に示したＣＲＴ２０１０に表示されるユーザインタフェースの一例を示す図である。本例は、フォントデータ配信を確認する確認画面として、表示制御部３０２による制御でＣＲＴ２０１０に表示されるユーザインタフェースの例である。なお、デバイス管理部３０１は、デバイス構成記憶部３０３に保持される管理情報に基づき、候補デバイス情報を生成する。そして、表示制御部３０２がデバイス管理部３０１で生成される候補デバイス情報を参照して、図１３に示す反映リストに候補デバイス一覧を表示する。
【００９６】
図１３において、１４０１は配信するリソースデータ名で、例えば「楷書体」が指定された状態に対応する。１４０２は配信デバイス名で、例えば「ＲＤｅｖ２」が指定された状態に対応する。
【００９７】
１４０３は反映リストで、配信デバイス名１４０２に示されるデバイスにリソースデータを配信することにより反映されることを示す。本例は、配信されるリソースデータの属性がフォントであるので、反映リスト１４０３には、リソースデータの配信先となる候補デバイスとして実デバイス及び、仮想デバイスが表示され、且つ、チェックボックスには全てチェックが入った状態で表示される。なお、配信先は、配信されるリソースデータの属性がフォントであるため、実デバイスと仮想デバイスの両方となる。
【００９８】
この場合、無条件に全てのデバイスに楷書体が配信されるため、反映先のデバイスを個別に選択することができないユーザインタフェースとなる。つまり、反映リスト１４０３は、表示制御部３０２の制御によりグレイ表示されて、選択できない表示状態となる。
【００９９】
また、本ユーザインタフェースにおいて、ユーザの操作に基づいて、詳細ボタン１４０４を選択すると、仮想デバイスがどのような実デバイスにより構成されているかを示す、図１４に一例を示すユーザインタフェースをＣＲＴ２０１０に表示する。
【０１００】
図１４は、図１に示したＣＲＴ２０１０に表示されるユーザインタフェースの一例を示す図である。本例は、仮想デバイスの構成を示すユーザインタフェースの例である。
【０１０１】
図１４において、１６０１はコンボボックスで、表示対象の仮想デバイスを選択する。現在、仮想デバイスとして「ＶＤｅｖ１」が選択された状態を示す。
【０１０２】
１６０２は仮想デバイス構成表示部で、コンボボックス１６０１で選択された仮想デバイスを構成する実デバイスの情報を表示制御部３０２がデバイス構成記憶部３０３に保持される仮想デバイステーブル（図５）を参照してＣＲＴ２０１０に表示した状態に対応する。
【０１０３】
１６０３はＯＫボタンで、このＯＫボタン１６０３をユーザの操作に基づいて選択することにより、このユーザインタフェースを閉じることができる。
【０１０４】
図１４の説明に戻り、ＯＫボタン１４０５をユーザの操作に基づいて選択することにより、Ｓ８１３に進む。
【０１０５】
また、図１４に示したキャンセルボタン１４０６をユーザの操作に基づいて選択することにより、処理をキャンセルし、図１４に示したユーザインタフェースを閉じる。
【０１０６】
次に、図８に示すＳ８１２で、表示制御部３０２によって、リソースデータを「使用可否を選択」とするための図１５に一例を示すユーザインタフェースをＣＲＴ２０１０に表示する。
【０１０７】
図１５は、図１に示したＣＲＴ２０１０に表示されるユーザインタフェースの一例を示す図である。本例は、図８に示したＳ８１２で、宛先表配信を確認する確認画面として、表示制御部３０２の表示制御でＣＲＴ２０１０に表示される。なお、デバイス管理部３０１は、デバイス構成記憶部３０３に保持される管理情報に基づき、候補デバイス情報を生成する。そして、表示制御部３０２がデバイス管理部３０１で生成される候補デバイス情報を参照して、図１５に示す反映リストに候補デバイス一覧を表示する。
【０１０８】
また、表示制御部３０２は、配信するリソースの属性に基づき、図１３に示すユーザインタフェースと図１５に示すユーザインタフェースを表示する際、配信先を指定するための反映リスト内のデバイス名およびチェックマークの表示を切換えている。
【０１０９】
図１５において、１５０１は配信するリソースデータ名であり、現在「開発用宛先表」が選択されて表示されている状態に対応する。
【０１１０】
１５０２は配信デバイス名で、例えばデバイス「ＲＤｅｖ１」がユーザの操作に基づいて選択されて表示されている状態に対応する。１５０３は反映リストで、配信デバイス名１５０２に示されるデバイスにリソースデータを配信することにより反映されて、デバイス名あるいは仮想デバイス名が表示された状態に対応する。つまり、反映リスト１５０３には、リソースデータの配信先となる候補デバイスとして実デバイス及び、仮想デバイスが表示され、且つ、チェックボックスにはユーザの操作で指定された実デバイス及び、仮想デバイスにチェックが入った状態で表示される。なお、配信先は、配信されるリソースデータの属性が宛先表なので、ユーザの操作で指示される実デバイスのみ、仮想デバイスのみ、実デバイスと仮想デバイスの両方の場合とがある。
【０１１１】
この場合、反映リスト１５０３内において、リソースデータの「使用可否を選択可能」とするため、使用可能とするデバイスを選択可能とするユーザインタフェース（ユーザの操作に基づいてチェックボックスが選択が可能）となる。
【０１１２】
なお、詳細ボタン１５０４を選択すると、仮想デバイスがどのような実デバイスにより構成されているかを示すユーザインタフェースを表示する。このユーザインタフェースの例（図１４）の説明については前述と同様である。
【０１１３】
また、ＯＫボタン１５０５を選択することにより、Ｓ８１３に進む。キャンセルボタン１５０６を選択することにより、処理をキャンセルしこのユーザインタフェースを閉じる。
【０１１４】
次に、Ｓ８１３では、図３に示した配信データ生成部３０６が、Ｓ８１２の選択結果により、デバイス管理部３０１に一時的に保存されたデバイスとリソースデータの情報（図１２）から、図１５においてチェックされているデバイスに対してのみ配信するデータを生成する。したがって、ユーザが配信したいデバイスとして選択していないデバイスには、宛先表等のリソースに配信されてしまう事態を回避することができる。しかも、その配信先の選択には、必ずユーザに図１５に示すユーザインタフェースを介して、配信先の確認と配信先とを誤り無く選択させることができる。
【０１１５】
図１６は、図３に示したデバイス管理部３０１で管理されるデバイスとリソースデータとの対応を示す図である。  本例は、デバイスに配信するリソースデータの最終的な情報の例である。
【０１１６】
図１６に示す例では、選択されたデバイス名「ＲＤｅｖ１」において、配信対象のデバイス名は「ＲＤｅｖ１」であることを示している。
【０１１７】
また、配信するリソースデータは「ＸＸ部宛先表」というデータであることを示している。
【０１１８】
図１６に示す実デバイス「ＲＤｅｖ１」は、仮想デバイス「ＶＤｅｖ１」の構成要素でありながら、「ＸＸ部宛先表」は「ＶＤｅｖ１」においては使用できないことを示している。
【０１１９】
次に、Ｓ８１４で、配信データ生成部３０６で生成されたリソースデータが通信機能部３０７を介して選択されたデバイスへ配信される。
【０１２０】
そして、Ｓ８１５で、配信結果が表示制御部３０２を介して、図１７に示すユーザインタフェースにより一覧表示され、本処理が終了する。
【０１２１】
図１７は、図１に示したＣＲＴ２０１０で表示されるユーザインタフェースの一例を示す図である。本例は、Ｓ８１５において、表示制御部３０２による配信結果表示制御に基づいて、各デバイスにおけるリソース配信前とリソース配信後の状況を配信結果として一覧表示した状態に対応する。特に、本例は、図１５に示す反映リストにチェックを入れたデバイスに開発用宛先表をデバイスＲＤｅｖ１、ＶＤｅｖ１、ＶＤｅｖ２、ＶＤｅｖ４、ＶＤｅｖ８に配信した状態を表示態様の違いから識別可能となる。
【０１２２】
また、本例は、図１４に示した楷書体を反映リストにチェックされていた、言い換えると全て配信なので、ＲＤｅｖ２、ＶＤｅｖ１、ＶＤｅｖ２、ＶＤｅｖ５、ＶＤｅｖ６、ＶＤｅｖ７、ＶＤｅｖ８に配信した状態を事後確認することができる。
【０１２３】
このように属性の異なるリソースを、仮想デバイスのデバイス名に応じて、配信することができ、かつ、図１７に示すインタフェースでその内容を容易に確認することができる。
【０１２４】
本実施形態では、配信すべきリソースの属性に応じて、反映されるデバイスのリストの表示態様を図１３に示す表示と図１５に示す表示とに切り替えることができる。したがって、宛先表等のように、利用範囲が限定されるようなリソースに対する、配信先の選択を表示画面上で確認しながら慎重に操作できる。
【０１２５】
つまり、ユーザは、図１３又は図１５に示すユーザインタフェースの表示態様に適応して、利用者が制限されるリソース（宛先表）の場合には、送信すべきデバイスを個別に選択することができる。
【０１２６】
これにより、利用者が制限されるリソース（宛先表）が誤ってすべてのデバイスに送信されてしまう事態が発生することがなくなり、管理者のリソース管理負担を軽減することができる。
【０１２７】
〔第２実施形態〕
第１実施形態においては、配信対象のデバイスとして一つのデバイスを選択する例について述べたが、第２実施形態においては、複数のデバイスを選択する処理について説明する。
【０１２８】
図１８は、本実施形態を示す管理システムにおける第２のデータ処理手順の一例を示すフローチャートである。本例は、図３に示した管理装置３００によるリソース配信制御処理例であって、配信対象のデバイスを複数選択する場合の処理例である。なお、Ｓ１８０１〜Ｓ１８１８は各ステップを示す。また、各ステップは、コンピュータ１００のＣＰＵ２００１がＲＡＭ２００２に制御プログラムをロードして実行することで実現される。
【０１２９】
まず、Ｓ１８０１で、表示制御部３０２がデバイス管理部３０１において管理されているデバイス情報を元に送信対象のデバイス（仮想デバイス又は実デバイス）を指定するユーザインタフェースを表示する。併せて、配信するリソース種別を指定するユーザインタフェースを表示する。この際に指定されたデバイスの個数を「Ｌ」とする。
【０１３０】
図１９は、図１に示したＣＲＴ２０１０に表示されるユーザインタフェースを示す図である。本例は、配信対象のデバイス（仮想デバイス又は実デバイスを複数選択可能とする）および配信するリソース種別を指定するユーザインタフェースを示す例である。本画面は、配信先デバイスを複数選択可能とする選択画面であって、表示制御部３０２による選択画面表示制御に基づいてＣＲＴ２０１０に表示される。
【０１３１】
図１９において、１９０１はコンボボックスで、リソース管理部３０５にて管理されているリソース種別の一覧を表示して、チェックボックスで、それぞれのデバイスを複数選択可能である状態に対応する。なお、現在リソース配信先として、実デバイス「ＲＤｅｖ１、３」と仮想デバイス「ＶＤｅｖ１，２」が選択されている状態に対応する。
【０１３２】
１９０２はボタンで、選択したデバイスに対してリソースデータ配信を実行する際に押下される。
【０１３３】
１９０３はボタンで、配信するリソースデータを追加する際に押下される。
【０１３４】
１９０４はデバイスリスト表示領域で、デバイス管理部３０１にて管理されているデバイスリストを表示する領域に対応する。
【０１３５】
なお、第２実施形態では、第１実施形態の場合（図９）と異なりチェックボックスをデバイス名に対応づけて備えることにより、複数のデバイスを同時に選択可能であることを示している。
【０１３６】
１９０５はリソースデータ表示領域で、デバイス管理部３０１にて管理されているデバイスに配信されているリソースデータを表示する領域である。なお、リソースデータ表示領域１９０５には、タイプ、ステータス、フォント名が表示される例を示す。
【０１３７】
なお、バイスリスト表示領域１９０４には、ボタン１９０３の選択後のリソース追加処理によって、配信対象に追加されたリソースデータについても表示する。
【０１３８】
次に、Ｓ１８０２で、ＣＰＵ２００１は、Ｓ１８０１で選択されたデバイスのカウンタ「ｊ」を「１」に初期化する。
【０１３９】
次に、Ｓ１８０３で、ＣＰＵ２００１は、デバイスの個数「Ｌ」とデバイスのカウンタ「ｊ」を比較し、「ｊ」が「Ｌ」以下であると判断した場合は、Ｓ１８０４へ進み、「ｊ」が「Ｌ」以下でないと判断した場合は、Ｓ１８１２へ進む。
【０１４０】
なお、Ｓ１８０４以降Ｓ１８１０までは、第１実施形態における図８に示したフローチャートのＳ８０２からＳ８０８までと同様の処理となるので、説明は省略する。
【０１４１】
次に、Ｓ１８１１で、ＣＰＵ２００１は、デバイスのカウンタ「ｊ」をインクリメントして、Ｓ１８０３へ戻る。
【０１４２】
なお、Ｓ１８１２以降Ｓ１８１３までは第１実施形態における図８に示したフローチャートのＳ８０９からＳ８１０と同様の処理になる。
【０１４３】
次に、Ｓ１８１４で、表示制御部３０２によって、リソースデータを「全て配信」とするためのユーザインタフェースを表示する。
【０１４４】
図２０は、図１に示したＣＲＴ２０１０に表示されるユーザインタフェースの一例を示す図である。本例は、フォントデータ配信確認のため、表示制御部３０２がＳ１８１４で表示するユーザインタフェースの例である。
【０１４５】
図２０において、２１は配信リソースデータ名で、例えばリソース名として、「明朝体Ｄ」が選択されて表示された状態に対応する。
【０１４６】
２２は配信デバイス名で、一つ或いは複数表示される。現在、実デバイスとして、「ＲＤｅｖ１，３」並びに仮想デバイスとして「ＶＤｅｖ」が選択表示された状態に対応する。
【０１４７】
２３は反映リストで、配信デバイス名２２のリストで選択されたデバイスにリソースデータを配信することにより反映されたデバイス名が表示される。
【０１４８】
この場合、無条件に全てのデバイスに配信されるため、反映先のデバイスを選択することができないユーザインタフェースとなる。つまり、デバイス名がグレイ表示される例である。
【０１４９】
詳細ボタン２４を選択すると、仮想デバイスがどのような実デバイスにより構成されているかを示すユーザインタフェースを表示する。このユーザインタフェースの例（図１４）の説明については前述と同様である。
【０１５０】
ＯＫボタン２５を選択することにより、Ｓ１８１６に進む。キャンセルボタン２６を選択することにより、処理をキャンセルしこのユーザインタフェースを閉じる。
【０１５１】
Ｓ１８１５では、表示制御部３０２によって、リソースデータを「使用可否を選択」とするためのユーザインタフェースを表示する。
【０１５２】
図２１は、図１に示したＣＲＴ２０１０に表示されるユーザインタフェースの一例を示す図である。本例は、宛先表確認のため、表示制御部３０２のＵＩ表示制御により複数の配信デバイスを選択可能とするため、Ｓ１８１５で表示するユーザインタフェースの例である。
【０１５３】
図２１において、２１０１は配信リソースデータ名であり、現在「開発用宛先表」が選択表示された状態に対応する。２１０２には配信デバイス名で、一つ或いは複数表示される。現在デバイス名として、実デバイス「ＲＤｅｖ１、３」並びに仮想デバイス「ＶＤｅｖ２」が選択されて表示された状態に対応する。
【０１５４】
２１０３は反映リストで、配信デバイス名２１０２のリストで選択されたデバイスにリソースデータを配信することにより反映されたデバイス名が表示される。
【０１５５】
この場合、リソースデータの「使用可否を選択可能」とするため、使用可能とするデバイスを選択可能とするユーザインタフェース（チェックボックスによる選択が可能）となる。
【０１５６】
また、図２１において、詳細ボタン２１０４を選択すると、仮想デバイスがどのような実デバイスにより構成されているかを示すユーザインタフェースを表示する。
【０１５７】
このユーザインタフェースの例（図１４）の説明については前述と同様である。ＯＫボタン２１０５を選択することにより、Ｓ１８１６に進む。キャンセルボタン２１０６を選択することにより、処理をキャンセルしこのユーザインタフェースを閉じる。
【０１５８】
Ｓ１８１６以降の処理は、第１実施形態における図８に示したフローチャートのＳ８１３以降の処理と同様である。
【０１５９】
これにより、属性の異なるリソースを、仮想デバイスのデバイス名に応じて、選択された複数のデバイスに配信することができ、かつ、図１７に示すインタフェースでその内容を容易に確認することができる。
【０１６０】
本実施形態では、配信すべきリソースの属性に応じて、反映されるデバイスのリストの表示態様が切り替えられるため、宛先表等のように、利用範囲が限定されるようなリソースに対する、送信先の選択を表示画面上で確認しながら慎重に操作できる。
【０１６１】
つまり、ユーザは、図１３又は図１５に示すユーザインタフェースの表示態様に適応して、利用者が制限されるリソース（宛先表）の場合には、送信すべきデバイスを個別に選択することができる。
【０１６２】
したがって、利用者が制限されるリソース（宛先表）が誤ってすべてのデバイスに送信されてしまう事態が発生することがなくなり、管理者のリソース管理負担をさらに軽減することができる。
【０１６３】
〔第３実施形態〕
以下、図２２に示すメモリマップを参照して本発明に係る管理装置で読み取り可能なデータ処理プログラムの構成について説明する。
【０１６４】
図２２は、本発明に係る管理装置で読み取り可能な各種データ処理プログラムを格納する記憶媒体のメモリマップを説明する図である。
【０１６５】
なお、特に図示しないが、記憶媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【０１６６】
さらに、各種プログラムに従属するデータも上記ディレクトリに管理されている。また、各種プログラムをコンピュータにインストールするためのプログラムや、インストールするプログラムが圧縮されている場合に、解凍するプログラム等も記憶される場合もある。
【０１６７】
本実施形態における図８、図１８に示す機能が外部からインストールされるプログラムによって、ホストコンピュータにより遂行されていてもよい。そして、その場合、ＣＤ−ＲＯＭやフラッシュメモリやＦＤ等の記憶媒体により、あるいはネットワークを介して外部の記憶媒体から、プログラムを含む情報群を出力装置に供給される場合でも本発明は適用されるものである。
【０１６８】
以上のように、前述した実施形態の機能を実現するソフトウエアのプログラムコードを記録した記憶媒体を、システムあるいは装置に供給する。そして、そのシステムあるいは装置のコンピュータ（又はＣＰＵやＭＰＵ）が記憶媒体に格納されたプログラムコードを読出し実行することによっても、本発明の目的が達成されることは言うまでもない。
【０１６９】
この場合、記憶媒体から読み出されたプログラムコード自体が本発明の新規な機能を実現することになり、そのプログラムコードを記憶した記憶媒体は本発明を構成することになる。
【０１７０】
従って、プログラムの機能を有していれば、オブジェクトコード、インタプリタにより実行されるプログラム、ＯＳに供給するスクリプトデータ等、プログラムの形態を問わない。
【０１７１】
プログラムを供給するための記憶媒体としては、例えばフレキシブルディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤなどを用いることができる。
【０１７２】
この場合、記憶媒体から読出されたプログラムコード自体が前述した実施形態の機能を実現することになり、そのプログラムコードを記憶した記憶媒体は本発明を構成することになる。
【０１７３】
その他、プログラムの供給方法としては、クライアントコンピュータのブラウザを用いてインターネットのホームページに接続する。そして、該ホームページから本発明のコンピュータプログラムそのもの、もしくは、圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバやｆｔｐサーバ等も本発明の請求項に含まれるものである。
【０１７４】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、その鍵情報を使用することにより暗号化されたプログラムを実行してコンピュータにインストールさせて実現することも可能である。
【０１７５】
また、コンピュータが読み出したプログラムコードを実行することにより、前述した実施形態の機能が実現されるだけではない。例えばそのプログラムコードの指示に基づき、コンピュータ上で稼働しているＯＳ（オペレーティングシステム）等が実際の処理の一部又は全部を行う。そして、その処理によって前述した実施形態の機能が実現される場合も含まれることは言うまでもない。
【０１７６】
さらに、記憶媒体から読み出されたプログラムコードが、コンピュータに挿入された機能拡張ボードやコンピュータに接続された機能拡張ユニットに備わるメモリに書き込ませる。その後、そのプログラムコードの指示に基づき、その機能拡張ボードや機能拡張ユニットに備わるＣＰＵ等が実際の処理の一部又は全部を行い、その処理によって前述した実施形態の機能が実現される場合も含まれることは言うまでもない。
【０１７７】
本発明は上記実施形態に限定されるものではなく、本発明の趣旨に基づき種々の変形（各実施形態の有機的な組合せを含む）が可能であり、それらを本発明の範囲から除外するものではない。
【０１７８】
本発明の様々な例と実施形態を示して説明したが、当業者であれば、本発明の趣旨と範囲は、本明細書内の特定の説明に限定されるのではない。
【図面の簡単な説明】
【０１７９】
【図１】本発明の第１実施形態を示す管理装置を適用可能な管理システムを示す図である。
【図２】本発明の実施形態を示す管理装置のネットワーク構成を示す図である。
【図３】本発明の実施形態に係る管理装置のモジュール構成を示す図である。
【図４】図３に示した管理装置にて管理されている全デバイスの名称および夫々のデバイスに配信されているリソースデータの情報を有するデバイスリスト情報の一例を示す図である。
【図５】図４に示したデバイスリストで管理されている仮想デバイス名と各機能を実行するデバイスとの対応を示す図である。
【図６】図４に示したリソースデータの種別と配信対象機能との対応を説明する図である。
【図７】図４に示したリソース種別と配信方法との対応を説明する図である。
【図８】本実施形態を示す管理システムにおける第１のデータ処理手順の一例を示すフローチャートである。
【図９】図３に示した表示制御部がＣＲＴに表示可能なユーザインタフェースの一例を示す図である。
【図１０】図３に示した表示制御部がＣＲＴに表示可能なユーザインタフェースの一例を示す図である。
【図１１】図３に示すデバイス構成記憶部に記憶される指定デバイスに関連する実デバイス情報の一例を示す図である。
【図１２】図３に示したデバイス管理部で管理されるデバイスとリソースデータとの対応を示す図である。
【図１３】図１に示したＣＲＴに表示されるユーザインタフェースの一例を示す図である。
【図１４】図１に示したＣＲＴに表示されるユーザインタフェースの一例を示す図である。
【図１５】図１に示したＣＲＴに表示されるユーザインタフェースの一例を示す図である。
【図１６】図３に示したデバイス管理部で管理されるデバイスとリソースデータとの対応を示す図である。
【図１７】図１に示したＣＲＴで表示されるユーザインタフェースの一例を示す図である。
【図１８】本実施形態を示す管理システムにおける第２のデータ処理手順の一例を示すフローチャートである。
【図１９】図１に示したＣＲＴに表示されるユーザインタフェースを示す図である。
【図２０】図１に示したＣＲＴに表示されるユーザインタフェースの一例を示す図である。
【図２１】図１に示したＣＲＴに表示されるユーザインタフェースの一例を示す図である。
【図２２】本発明に係る管理装置で読み取り可能な各種データ処理プログラムを格納する記憶媒体のメモリマップを説明する図である。
【符号の説明】
【０１８０】
３００  管理装置
３０１  デバイス管理部
３０２  表示制御部
３０３  デバイス構成記憶部
３０４  リソースデータ記憶部
３０５  リソース管理部
３０６  配信データ生成部
３０７  通信機能部
３１０  情報処理装置
３１１  連携処理部
【図１】
0004954016.tif 000002
【図２】
0004954016.tif 000003
【図３】
0004954016.tif 000004
【図４】
0004954016.tif 000005
【図５】
0004954016.tif 000006
【図６】
0004954016.tif 000007
【図７】
0004954016.tif 000008
【図８】
0004954016.tif 000009
【図９】
0004954016.tif 000010
【図１０】
0004954016.tif 000011
【図１１】
0004954016.tif 000012
【図１２】
0004954016.tif 000013
【図１３】
0004954016.tif 000014
【図１４】
0004954016.tif 000015
【図１５】
0004954016.tif 000016
【図１６】
0004954016.tif 000017
【図１７】
0004954016.tif 000018
【図１８】
0004954016.tif 000019
【図１９】
0004954016.tif 000020
【図２０】
0004954016.tif 000021
【図２１】
0004954016.tif 000022
【図２２】
0004954016.tif 000023